(57)【要約】【課題】結束バンド１の止め部分を扁平状に処理して被結束材の表面から突出するのを防ぐ。【解決手段】一側の表面に多数の凸状歯３をラック状に形成した結束バンド１と、上記凸状歯３と係合可能な爪部を備えた止め具２とを組み合わせてなる結束具において、止め具２の内部には仕切り板７を介して上下２層のバンド挿通孔８、９を形成し、各バンド挿通孔の互いに反対側の端部にはそれぞれ係止爪１０、１１を形成することにより、被結束材に巻き回した結束バンド１の一方の端部の凸状歯３を一方のバンド挿通孔９の係止爪１１に係止し、結束バンド１の他方を他方のバンド挿通孔８に挿通して任意の凸状歯３を他方のバンド挿通孔の係止爪１０に係止させる。【選択図】図１
2010018291.tif 000002
【特許請求の範囲】
【請求項１】
一側の表面に多数の凸状歯をラック状に形成した結束バンドと、上記凸状歯と係合可能な爪部を備えた止め具とを組み合わせてなる結束具において、
止め具の内部には仕切り板を介して上下２層のバンド挿通孔を形成し、各バンド挿通孔の互いに反対側の端部にはそれぞれ係止爪を形成することにより、被結束材に巻き回した結束バンドの一方の端部の凸状歯を一方のバンド挿通孔の係止爪に係止し、結束バンドの他方を他方のバンド挿通孔に挿通して任意の凸状歯を他方のバンド挿通孔の係止爪に係止させる
ことを特徴とする結束具。
【請求項２】
上記係止爪と、該係止爪に対向するバンド挿通孔の対向面とは互いに離間可能に形成されていることを特徴とする、請求項１に記載の結束具。
【請求項３】
上記係止爪は、上記仕切り板の中間から一方の側に延出形成された係止片と上記下底部の中間から他方の側に延出形成された係止片の先端にそれぞれ形成され、上記下底部の中間部に肉厚の補強部を形成するとともに、上記中間部から上記一方の側を開放させたことを特徴とする、請求項１又は２のいずれかに記載の結束具。
【発明の詳細な説明】
【技術分野】
【０００１】
本発明は、多数の凸状歯をラック状に形成した結束バンドと上記凸状歯と係合可能な爪部を備えた止め具とを組み合わせてなる電線等の被結束材の結束具に関する。
【背景技術】
【０００２】
この種の電線等の結束具としては、結束バンドの一端を止め具の開口部から挿通した後に電線等の被結束材に対しループ状に巻き回し、再び上記一端を止め具の開口部に挿入して、その凸状歯を止め具の一方の爪部材に係合させ、その後結束バンドの元側を引き締めてその凸状歯を止め具の他方の爪部材に係合させることにより結束し、止め具からはみ出た結束バンドの不要部分を切断するようにしたものが知られている(例えば、特許文献１参照)。
【特許文献１】実開昭６２−６５９５４号公報
【発明の開示】
【発明が解決しようとする課題】
【０００３】
ところで、上述の結束具においては、被結束材を結束したとき、結束バンドの両端は同じ側の面が当接する構造なので、止め具が被結束材の表面から突出することになり、被結束材を重ねるときに邪魔になったり、思いがけずに衣服等に引っ掛ける可能性がある。
【０００４】
本発明は上記問題点を解消し、結束バンドの両端の互いに異なる側の面が当接することにより、止め具の部分を扁平状に処理して被結束材の表面から突出するのを防ぐことができる結束具を提供することをその課題とする。
【課題を解決するための手段】
【０００５】
前記課題を解決するため、請求項１に係る発明は、一側の表面に多数の凸状歯をラック状に形成した結束バンドと、上記凸状歯と係合可能な爪部を備えた止め具とを組み合わせてなる結束具において、止め具の内部には仕切り板を介して上下２層のバンド挿通孔を形成し、各バンド挿通孔の互いに反対側の端部にはそれぞれ係止爪を形成することにより、被結束材に巻き回した結束バンドの一方の端部の凸状歯を一方のバンド挿通孔の係止爪に係止し、結束バンドの他方を他方のバンド挿通孔に挿通して任意の凸状歯を他方のバンド挿通孔の係止爪に係止させることを特徴とする。
【０００６】
請求項２に係る発明は、請求項１において、上記係止爪と、該係止爪に対向するバンド挿通孔の対向面とは互いに離間可能に形成されていることを特徴とする。
【０００７】
請求項３に係る発明は、請求項１又は２において、上記係止爪は、上記仕切り板の中間から一方の側に延出形成された係止片と上記下底部の中間から他方の側に延出形成された係止片の先端にそれぞれ形成され、上記下底部の中間部に肉厚の補強部を形成するとともに、上記中間部から上記一方の側を開放させたことを特徴とする。
【発明の効果】
【０００８】
請求項１に係る発明によれば、止め具の内部には仕切り板を介して上下２層のバンド挿通孔を形成し、各バンド挿通孔の互いに反対側の端部にはそれぞれ係止爪を形成することにより、被結束材に巻き回した結束バンドの一方の端部の凸状歯を一方のバンド挿通孔の係止爪に係止し、結束バンドの他方を他方のバンド挿通孔に挿通して任意の凸状歯を係止爪に係止させる構成であるから、結束バンドの一端を係止させた止め具を片手で抑えて、該バンドの他端を引張るだけで、簡単に被結束材の強固な結束を行うことができる。また、止め具自体を扁平に形成でき、結束状態で止め具に係止されたとき、結束バンドの一側面と他側面とが接面するように重なった状態となるので、全体が扁平になり高さを低く抑えることができる。したがって、止め具が被結束材の表面から突出するのを防ぐことができる。
【０００９】
さらに、切断されるバンド端部の方向はループの円周上に沿うので止め具から殆ど突出しない。このため、切断端部は多少長めであっても外向きには突出しないので、体や衣服が直接接触することが無く、安全を確保することができる。
【００１０】
請求項２に係る発明によれば、係止爪と、該係止爪に対向するバンド挿通孔の対向面とは互いに離間可能に形成されているので、結束バンドの挿通を円滑に行うことができるとともに、凸状歯と係止爪との係止を確実に行うことができる。
【００１１】
請求項３に係る発明によれば、係止爪は、仕切り板の中間から一方の側に延出形成された係止片と下底部の中間から他方の側に延出形成された係止片の先端にそれぞれ形成され、上記中間部から上記一方の側を開放させた構成であるから、下底部に形成された係止片は特に障害なく撓ませることができ、仕切り板に形成された係止片は下底部の一半部が開放されているので、十分に撓ませることができる。また、上記下底部の中間部に肉厚の補強部が形成されているので、下底部の強度を十分に確保することができる。
【発明を実施するための最良の形態】
【００１２】
図１ないし図４に基づいて本発明の結束具の構造を説明する。
【００１３】
図１において符号Ａは結束具を示す。結束具Ａは、合成樹脂製の結束バンド１と止め具２とを組み合わせてなり、電線Ｂ等の結束に供されるものである。
【００１４】
結束バンド１は、電線等の被結束材Ｂに対してループ状に巻き回して結束するもので、図２ないし図４に示すように、一側の表面に多数の凸状歯３、３・・・をラック状に形成した長尺の可撓性を有する合成樹脂製部材である。
【００１５】
止め具２も合成樹脂から成形され、上壁部４と下底部５との両側を側壁部６で連結することにより、図１に示されるように全体を上面視略正方形もしくは矩形の扁平なブロック状に形成するとともに、内部には一方から他方に貫通する開口部を形成し、該開口部の中間に仕切り板７を形成し、仕切り板７の上下に上下２層の上部バンド挿通孔８と下部バンド挿通孔９とを形成し、各バンド挿通孔８、９の互いに反対側の端部にはそれぞれ同じ大きさの係止爪１０、１１を形成したものである。
【００１６】
すなわち、上部バンド挿通孔８には第１の係止爪１０が設けられている。すなわち、第１の係止爪１０は、上記仕切り板７の中間から一方の側に延出形成された第１の係止片１２の端部に形成され、仕切り板７は両側壁部６の中間部に形成され、第１の係止爪１０は上向きで、開口端に傾いて形成されている。第１の係止片１２は仕切り板７に平行な２つのスリット１４を入れることによって形成される。
【００１７】
次に、下部バンド挿通孔９には第２の係止爪１１が設けられている。すなわち、第２の係止爪１１は、下底部５の中間から他方の側に延出形成された第２の係止片１３の先端に形成されている。第２の係止片１３は下底部５に平行な２つのスリット１４を入れることによって形成される。上記下底部５の中間部から他方は開放され、開放部１６からは第１の係止片１２が露出する構造になっている。この構造では、第２の係止片１３の強度は小さいので、中間部には肉厚の補強部１７が形成されている。第２の係止爪１１も、第１の係止爪１０と同様に、開口端側に傾き形成されている。
【００１８】
上記構成により、第１の係止片１２が撓むことにより、第１の係止片１２と第１の係止爪１０に対向する対向面（上壁部４の下面）とは、図３の矢印に示されるように互いに離間可能に形成される。また、第２の係止片１３も撓むことにより、対向する対向面（仕切り板７の下面）と互いに離間可能になっている。
【００１９】
上記構成の結束具の使用態様を図４に基づいて説明する。まず結束バンド１の一端1ａを止め具の下部バンド挿通孔９の開放部１６側から挿通し、結束バンド１の凸状歯３が第２の係止爪１１を乗り越えるとき、第２の係止片１３が撓み、乗り越えた後、第２の係止片１３も元に戻り、上記端部に近い凸状歯３は第２の係止爪１１に係止する。このように、第２の係止片１３が撓むことによって第２の係止爪１１と下部バンド挿通孔９の上面とが離間するので、結束バンド１が円滑に挿通するとともに、凸状歯３と係止爪１０、１１との係止を確実に行うことができる。
【００２０】
次に、結束バンド１を被結束材Ｂのまわりに巻き回した後、その他端を上部バンド挿通孔８の上記一端とは反対側の開口端から挿通し、他端から引き出し、十分に引き締めて力を解放すると、結束バンド１の凸状歯３が第１の係止爪１０に係止する。このときも、結束バンド１の凸状歯３が第１の係止爪１０を乗り越えるとき、下底部５の中間部から第１の係止片１２側は開放されているので、下部バンド挿通孔９に結束バンド１が挿通されている状態であっても、第１の係止片１２が撓んで凸状歯３が第１の係止爪１０を乗り越えることができ、十分に引き出した後は第１の係止片１２は元に戻り、凸状歯３は第１の係止爪１０に係止する。このように、第２の係止片１３が撓むことによって第１の係止爪１０と上部バンド挿通孔８の上面とが離間するので、結束バンド１が円滑に挿通するとともに、凸状歯３と第１、第２係止爪１０、１１との係止を確実に行うことができる。そして、上部バンド挿通孔８も下部バンド挿通孔９も結束バンド１は一方向にのみ挿通可能で、反対側には第１、第２係止爪１０、１１に係止して戻ることはできないから、結束バンド１は引き締め状態で安定する。その後、結束バンド１の不要部分を切除すればよい。
【００２１】
上述の構成によれば、結束バンド１の一端を係止させた止め具Ａを片手で抑えて、該結束バンド１の他端側を引張るだけで、簡単に被結束材Ｂの強固な結束を行うことができる。また、止め具自体が扁平で、結束ループの円周上で結束バンド１の一側面と他側面とが接面するように重なった状態で係止するので、全体が扁平になり高さを低く抑えることができる。したがって、止め具が被結束材Ｂの表面から突出するのを防ぐことができる。
【００２２】
さらに、切断されるバンド端部の方向はループの円周上に沿うので止め具から殆ど突出せず安全であり、切断端部は多少長めであっても外向きには突出しないので、体や衣服が直接接触することが無く、安全を確保することができる。
【００２３】
なお、止め具の構造は上述の形態に限定されない。例えば、図５（ａ）に示されるように、仕切り板７に第１の係止片（１２）を形成することなく、直接に第１の係止爪１０を形成し、第１の係止爪１０に対向する上壁部４に２つの平行なスリット（１４）を形成することにより、第１の係止爪１０の対向部分４ａを矢印のように撓み可能とし、第１の係止爪１０とその対向面とを互いに離間可能に形成してもよい。
【００２４】
さらに、第２の係止爪１１の形成態様も上述の形態に限定されない。例えば、図５（ｂ）に示されるように、下底部５にスリットを形成せず、直接に第２の係止爪１１を形成し、これら第２の係止爪１１とに対向する仕切り板７の対応する部分７ａを２つの平行なスリットにより矢印のように撓み可能とし、第２の係止爪１１とその対向面とを互いに離間可能に構成してもよい。
【図面の簡単な説明】
【００２５】
【図１】本発明の結束具の斜視図
【図２】止め具の底面図
【図３】図２のＸ−Ｘ線上の断面図
【図４】結束具による結束態様を示す断面図。止め具は図２のＹ−Ｙ線上の断面でしめしている。
【図５】（ａ）（ｂ）は、止め具の他の形態を示す断面図である。
【符号の説明】
【００２６】
１  結束バンド
２  止め具
３  凸状歯
８  下部バンド挿通孔
９  上部バンド挿通孔
【図１】
2010018291.tif 000003
【図２】
2010018291.tif 000004
【図３】
2010018291.tif 000005
【図４】
2010018291.tif 000006
【図５】
2010018291.tif 000007